(57)【要約】      （修正有）【課題】情報媒体に発光素子を確実に簡便に取り付ける発光素子用ソケットを提供する。【解決手段】回路基板を収容するホルダー１０と発光素子２の樹脂モールド部２Ａを覆うキャップ２０とを備え、ホルダー１０は前端から所定距離離れてフランジ１４を有し、キャップ２０は情報媒体６に当接する後端部を有する。ホルダーを情報媒体６の取付穴に対し裏側から表側に挿通してフランジ１４を情報媒体６の裏面に当接し、かつ情報媒体６の表側に発光素子の樹脂モールド部２Ａを突出させた状態で樹脂モールド部２Ａをキャップ２０で覆うことで、キャップ２０の後端部が情報媒体６の表面に当接し、情報媒体６に発光素子２が取り付けられる。フランジ１４とキャップ２０との間に弾性の座金４０を介在させてもよい。【選択図】図６
0003146027.tif 000002
【実用新案登録請求の範囲】
【請求項１】
発光素子を回路基板に接続した状態で該発光素子を情報媒体に取り付ける発光素子用ソケットにおいて、
上記回路基板を収容するホルダーと上記発光素子の樹脂モールド部を覆うキャップとを備え、
上記ホルダーを上記情報媒体の取付穴に対し裏側から表側に挿通し、発光素子の樹脂モールド部を上記情報媒体の表側に突出させた状態で、該突出した樹脂モールド部を上記キャップで覆うことで上記情報媒体に発光素子を取り付けることを特徴とする、発光素子用ソケット。
【請求項２】
発光素子を回路基板に接続した状態で該発光素子を情報媒体に取り付ける発光素子用ソケットにおいて、
上記回路基板を収容するホルダーと上記発光素子の樹脂モールド部を覆うキャップとを備え、
上記ホルダーは前端から所定距離離れてフランジを有し、
上記キャップは上記情報媒体に当接する後端部を有し、
上記ホルダーを上記情報媒体の取付穴に対し裏側から表側に挿通して上記フランジを上記情報媒体の裏面に当接し、かつ該情報媒体の表側に発光素子の樹脂モールド部を突出させた状態で該突出した樹脂モールド部を上記キャップで覆うことで上記キャップの後端部が上記情報媒体の表面に当接し、上記情報媒体に発光素子を取り付けることを特徴とする、発光素子用ソケット。
【請求項３】
前記ホルダーには前記キャップと螺合するための螺子山が刻設されていることを特徴とする、請求項２に記載の発光素子用ソケット。
【請求項４】
前記ホルダーは前記フランジを有するホルダー本体と前記螺子山が外周面に刻設されている係合体とを備え、上記係合体が上記ホルダー本体に嵌め込まれてなることを特徴とする、請求項２に記載の発光素子用ソケット。
【請求項５】
前記フランジ上に座金を配置することで、前記フランジと前記情報媒体の裏面との隙間を有しないことを特徴とする、請求項２乃至４の何れかに記載の発光素子用ソケット。
【請求項６】
発光素子を回路基板に接続した状態で該発光素子を情報媒体に取り付ける発光素子用ソケットにおいて、
上記回路基板を収容するホルダーと上記発光素子の樹脂モールド部を覆うキャップとを備え、
上記ホルダーは、前端から所定距離離れてその外周にフランジを有し、
上記キャップの外周面は軸方向に延びる係合リブを有し、
発光素子の樹脂モールド部を上記ホルダーから突出させて該ホルダーに上記回路基板を収容した状態で該樹脂モールド部を上記キャップで覆い、上記情報媒体の取付穴に対し裏側から表側に該ホルダーを該キャップと共に挿通して上記フランジを上記情報媒体の裏面に当接し、かつ上記係合リブの後端を上記情報媒体の表面に当接することで、上記係合リブと上記フランジとが上記情報媒体を挟んで上記情報媒体に上記発光素子を取り付けることを特徴とする、発光素子用ソケット。
【請求項７】
発光素子を回路基板に接続した状態で該発光素子を情報媒体に取り付ける発光素子用ソケットにおいて、
上記回路基板を収容するホルダーと上記発光素子の樹脂モールド部を覆うキャップとを備え、
上記キャップの後端部にフランジを有し、該キャップのフランジより前側の外周に係合リブを有し、
上記ホルダーから発光素子の樹脂モールド部を突出させて該ホルダーに上記回路基板を収容した状態で該樹脂モールド部を上記キャップで覆い、上記情報媒体の取付穴に対し裏側から表側に該ホルダーを該キャップと共に挿通して上記フランジを上記情報媒体の裏面に当接し、該取付穴の周縁面と上記係合リブとを摩擦係合させることで、上記情報媒体に上記発光素子を取り付けることを特徴とする、発光素子用ソケット。
【請求項８】
前記キャップには、前記発光素子から出射した光の進行方向を変える複数のカット面が形成されていることを特徴とする、請求項１乃至７の何れかに記載の発光素子用ソケット。
【請求項９】
前記キャップは合成樹脂に顔料が混入されてなることを特徴とする、請求項１乃至７の何れかに記載の発光素子用ソケット。
【考案の詳細な説明】
【技術分野】
【０００１】
本考案は、文字や図形などで情報を表現した情報媒体に発光素子を取り付ける発光素子用ソケットに関する。
【背景技術】
【０００２】
従来、店名やその店に関する情報を表現した看板を店頭等に配置している。その中で、看板の縁部に複数の発光ダイオード素子を配置することで人目を引くようにしている。また、特定の文字や図形を示すように発光ダイオード素子を配列して看板を構築することも知られている。
【０００３】
本考案者は、看板に発光ダイオード素子を取り付けるための発光素子用ソケットや、斬新な情報提示が行える表示装置を開発してきた（例えば特許文献１及び２）。例えば、看板は比較的大きいため、ハンディ式穴あけ工具で看板に発光素子用ソケットを取り付けるための貫通穴を垂直に設けることが難しい。そこで、特許文献２では、看板の裏面にアタッチメントを取り付け、このアタッチメントに発光素子用ソケットを保持させることを考案している。
【特許文献１】特開２００７−３０５５７８号公報
【特許文献２】実用新案登録第３１３８３５９号公報
【考案の開示】
【考案が解決しようとする課題】
【０００４】
しかしながら、発光ダイオード素子を看板へ取り付ける前に、貫通穴を囲むようにアタッチメントを取り付けることは作業時間を要する。看板には多数の発光ダイオード素子が取り付けられるからである。また、発光ダイオード素子を収容して発光ダイオード素子を看板に取り付けても、看板から発光素子用ソケットが外れることがある。すると、看板による宣伝広告効果を維持するためにはメインテナンスが必要となる。さらに、単に板状の看板に発光ダイオード素子を装着しただけでは新鮮味や広告媒体としての機能が十分発揮されないため、斬新な広告媒体として機能する情報表示装置が求められている。
【０００５】
本考案は、上記の点に鑑み、情報媒体に発光素子を確実にかつ簡便に取り付け、かつ広告宣伝機能を十分に発揮することを可能とする発光素子用ソケットを提供することを目的とする。
【課題を解決するための手段】
【０００６】
上記目的を達成するために、本考案の発光素子用ソケットは、発光素子を回路基板に接続した状態で発光素子を情報媒体に取り付ける発光素子用ソケットにおいて、回路基板を収容するホルダーと発光素子の樹脂モールド部を覆うキャップとを備え、ホルダーを情報媒体の取付穴に対し裏側から表側に挿通し、樹脂モールド部を情報媒体の表側に突出させた状態でキャップにより樹脂モールド部を覆うことで、情報媒体に発光素子を取り付けることを特徴とする。
【０００７】
具体的な構成として、発光素子を回路基板に接続した状態で発光素子を情報媒体に取り付ける発光素子用ソケットにおいて、回路基板を収容するホルダーと発光素子の樹脂モールド部を覆うキャップとを備え、ホルダーは前端から所定距離離れてフランジを有し、キャップは情報媒体に当接する後端部を有し、ホルダーを情報媒体の取付穴に対し裏側から表側に挿通してフランジを情報媒体の裏面に当接し、かつ情報媒体の表側に発光素子の樹脂モールド部を突出させた状態で樹脂モールド部をキャップで覆うことによりキャップの後端部が情報媒体の表面に当接し、情報媒体に発光素子を取り付けるようにしたことを特徴とする。
特に、ホルダーにはキャップと螺合するための螺子山が刻設されている。
特に、ホルダーはフランジを有するホルダー本体と螺子山を外周面に刻設した係合体とを備え、係合体がホルダー本体に嵌め込まれてなる。
特に、フランジ上に座金が配置されていることより、フランジと情報媒体の裏面との隙間を有しない。
【０００８】
別の具体的な構成として、発光素子を回路基板に接続した状態で発光素子を情報媒体に取り付ける発光素子用ソケットにおいて、回路基板を収容するホルダーと発光素子の樹脂モールド部を覆うキャップとを備え、ホルダーは、前端から所定距離離れてその外周にフランジを有し、キャップの外周面には軸方向に延びる係合リブを形成し、発光素子の樹脂モールド部をホルダーから突出させてホルダーに回路基板を収容した状態で樹脂モールド部をキャップで覆い、情報媒体の取付穴に対し裏側から表側にホルダーをキャップと共に挿通してフランジを情報媒体の裏面に当接し、かつ係合リブの後端を情報媒体の表面に当接することで、係合リブとフランジとで情報媒体を挟んで情報媒体に発光素子を取り付けることを特徴とする。
また、発光素子を回路基板に接続した状態で発光素子を情報媒体に取り付ける発光素子用ソケットにおいて、回路基板を収容するホルダーと発光素子の樹脂モールド部を覆うキャップとを備え、キャップの後端部にフランジを有し、キャップのフランジより前側の外周に係合リブを有し、ホルダーから発光素子の樹脂モールド部を突出させてホルダーに回路基板を収容した状態で樹脂モールド部をキャップで覆い、情報媒体の取付穴に対し裏側から表側にホルダーをキャップと共に挿通してフランジを情報媒体の裏面に当接し、かつ取付穴の周縁面と係合リブとを摩擦係合させることで、情報媒体に発光素子を取り付けることを特徴とする。
【０００９】
特に、キャップには、発光素子から発生した光の進行方向を変える複数のカット面が形成されているとよい。キャップは合成樹脂に顔料が混入されてなるとよい。
なお、「所定距離」とは、発光素子用ソケットが情報媒体に取り付けられる部位での情報媒体の厚み以上の長さをいう。情報媒体には例えば広告板や情報板などを挙げることができ、一般に、情報媒体とは板材や発泡材で立体的又は平面的に構成され、文字や図形が表現されていることで特定又は不特定の者に対し情報を広く知らしめる物である。
【考案の効果】
【００１０】
本考案による発光素子用ソケットによれば、発光素子のリードフレームに回路基板が接続され、発光素子の樹脂モールド部が突出するように回路基板がホルダーに収容され、樹脂モールド部がキャップで覆われ、ホルダー、キャップの何れか一方又は双方で情報媒体に取り付けられる。よって発光素子を情報媒体に確実に取り付けることができ、屋外において強風などにより発光素子が外れることがない。また、本考案による発光素子用ソケットを用いることで、取付穴が設けられている情報媒体であれば、例えば発泡材、板などの各種の部材を用いて情報媒体を構築することができ、取付穴の取付位置を任意に選択することで、斬新な情報表示を行うことが可能である。
【考案を実施するための最良の形態】
【００１１】
以下、図面を参照しながら本考案の実施形態を説明する。同一又は対応する部材には同一の符号を用いて説明を省略する。
〔発光素子用ソケット〕
図１は本考案の実施形態に係る発光素子用ソケット１の概略図である。発光素子用ソケット１は、回路基板を収容するホルダー１０と、回路基板に接続されている発光素子の樹脂モールド部を被覆するキャップ２０と、を備える。図１では発光素子及び情報媒体は示していない。
【００１２】
本考案の実施形態では、ホルダー１０の外周壁部に前端から所定の距離離れてフランジ１４が設けられる。所定の距離、すなわち、ホルダー１０にキャップ２０を係合した状態においてキャップ２０の後端とフランジ１４との距離が、情報媒体の厚み以上になるよう設定されている。ホルダー１０に前側からリング状の座金４０を挿入した状態で情報媒体の取付穴に挿通し、ホルダー１０にキャップ２０を装着するとよい。ホルダー１０及びキャップ２０はプラスチックで成形し、座金４０をゴムなどの弾性部材で形成しておくことで、情報媒体の厚みが発光素子用ソケット１の取付位置毎に異なっていても、発光素子用ソケット１を用いて情報媒体に発光素子を取り付けることができる。
【００１３】
ホルダー１０及びキャップ２０の具体的な構成について説明する。
ホルダー１０は、図１に示すように、中空略筒状の基体１１とこの基体１１の後端部に取り付けられる蓋体１７とで構成される。図２は図１に示す基体１１について、（Ａ）は平面図、（Ｂ）は正面図、（Ｃ）は底面図、（Ｄ）は側面図、（Ｅ）はＡ１−Ａ１線に沿う断面図、（Ｆ）はＡ２−Ａ２線に沿う断面図である。基体１１は中空の略筒状をなし、基体１１の軸方向に沿って前側から後側に向けて、キャップ係合部１２、嵌込部１３、フランジ１４、括れ部１５及び後端部１６を有する。キャップ係合部１２は、内壁から中心軸側に張出部１２Ａを有し、外壁には螺子山１２Ｂが刻設されている。張出部１２Ａは、後述するように、発光素子の樹脂モールド部の鍔部が係合することで樹脂モールド部を保持する。螺子山１２Ｂはキャップ２０と螺合する。嵌込部１３は、後述するように情報媒体の貫通した取付穴に配置される部位であり、外周には基体１１の軸に平行に突起した筋部１３Ａを有する。フランジ１４は、嵌込部１３の後端と括れ部１５との間で外周に張り出し鍔状をなす。後端部１６は、左右両側にそれぞれコード挿通部１６Ａを有し、コード挿通部１６Ａと略直交する位置に一対の係合部１６Ｂを有する。この係合部１６Ｂは蓋体１７と係合する。
【００１４】
図３は図１に示す蓋体１７を示しており、（Ａ）は平面図、（Ｂ）は正面図、（Ｃ）は底面図、（Ｄ）は側面図、（Ｅ）はＢ１−Ｂ１線に沿う断面図、（Ｆ）はＢ２−Ｂ２線に沿う断面図である。蓋体１７は略円板状をなし、蓋体１７の外周端部から側壁部１７Ａが立設している。側壁部１７Ａには基体１１との係合部１７Ｂと凹み部１７Ｃとの各対が互いに直交するように形成されている。
【００１５】
図４はキャップ２０を示し、（Ａ）は平面図、（Ｂ）は正面図、（Ｃ）は底面図、（Ｄ）はＣ−Ｃ線に沿う断面図である。キャップ２０は半球状の前端部２０Ａと後端部２０Ｂとで一体形成され、内側には発光素子の樹脂モールド部を収容する収容空間２０Ｃが画成されている。後端部２０Ｂの外周には筋状の溝２０Ｄが軸方向に複数刻設されている。
【００１６】
発光素子用ソケット１への発光素子の収容について説明する。図５は、発光素子用ソケット１の基体１１へ発光素子２を収容した状態を示す断面図である。発光素子２は、発光ダイオード素子などの電子光素子であって、発光部を樹脂などでモールドされた樹脂モールド部２Ａと一対のリードフレーム２Ｂとを備える。発光素子用ソケット１に発光素子２を収容する際には、予め、発光素子２のリードフレーム２Ｂの先端部を回路基板３の筒部３Ａに挿入し、必要に応じて半田付けを行う。なお、回路基板３には配線取付部３Ｂが設けられ、配線取付部３Ｂに配線４の先端部が取り付けられる。回路基板３には図示しない抵抗やコンデンサーなどが組み込まれており、配線４からリードフレーム２Ｂの両端に所定の電圧が印加され、発光素子２が発光する。図５に示すように、回路基板３に発光素子２及び配線４が電気的に接続された状態で、基体１１の後側の挿入口から発光素子２と一緒に回路基板３を挿入し、樹脂モールド部２Ａが基体１１の前側の開口部から突き出す。このとき、鍔部２Ｃが基体１１の張出部１２Ａに当接するので、樹脂モールド部２Ａが基体１１から外れない。その後、必要に応じて基体１１内に樹脂などを充填して防水処理を施し、基体１１の後端部１６に蓋体１７を装着する。蓋体１７の後端部に蓋体１７を取り付けるため、基体１１の後端から未固化状態の樹脂が漏れ出すことはない。
【００１７】
〔情報表示装置〕
図６は、本考案の実施形態に係る情報表示装置５を模式的に示す断面図である。
情報表示装置５は、文字及び／又は図形が平面的及び／又は立体的に表現されてなる情報媒体６と、発光素子用ソケット１に発光素子２が収容されてなる一組以上の照明具７と、を備える。本考案の実施形態では、情報媒体６は、発光素子２の取付位置に貫通した取付穴を設けることが可能であれば何でも良い。情報媒体６は例えば看板や広告板のように板材に文字及び／又は図形が平面的に印刷などにより表現されている場合を図示しているが、情報媒体６は、板材を組み合わせて立体的に構成されていても、情報媒体６の取付面と対向する部位がくり抜かれていてもよい。一方、照明具７は、発光素子２が収容された発光素子用ソケット１を配線４で連結して構成される。照明具７は、前述したように、発光素子用ソケット１へ発光素子２を収容することを繰り返すことで作製される。
【００１８】
情報媒体６の裏側から取付穴にホルダー１０が挿入され、図６に示されるように、情報媒体６の表側に突出した樹脂モールド部２Ａにキャップ２０が取り付けられ、フランジ１４とキャップ２０の後端とで発光素子２が情報媒体６に取り付けられている。すなわち、ホルダー１０を情報媒体６の取付穴に対し裏側から嵌め込み、発光素子２の樹脂モールド部２Ａを情報媒体６の表側から突出させた状態でホルダー１０にキャップ２０を螺合する。このように、ホルダー１０及びキャップ２０とで情報媒体６を挟み込むことで、発光素子２を情報媒体６に確実に固定することができる。しかも、図６に示されるように、フランジ１４と情報媒体６の裏面との間に弾性の座金４０を介在させることで、情報媒体６の裏面とフランジ１４との間、情報媒体６の表面とキャップ２０との間の隙間をなくすことができる。すなわち、情報媒体６の厚みが取付穴毎に異なっても、情報媒体６の厚みに応じてホルダー１０とキャップ２０とを予め容易しておく必要がなく、厚みの異なる座金４０を用意しておくだけで、発光素子２の情報媒体６への取付作業の効率性を高め、生産コストの低廉化を図ることができる。
【００１９】
〔変形例１〕
図７は、本考案の実施形態の変形例１に関し、情報媒体６に一組以上の照明具を装着して情報表示装置５Ａを組み立てる工程を示している。図１に示す形態とは次の点で相違する。ホルダー５０が、フランジ５１Ａを有するホルダー本体５１と、外周に螺子山５２Ｂが刻設されている係合体５２と、を有し、ホルダー本体５１の前端部５１Ｂに係合体５２の後端部５２Ａが嵌め込まれてなる。ここで、ホルダー本体５１は、図１に示す実施形態と同様に、基体と蓋体とからなり、基体の後端側に蓋体が取り付けられてなる。
変形例１では、図７（Ａ）に示すように、先ず、ホルダー本体５１の前端部５１Ｂに係合体５２の後端部５２Ａを嵌め込み、その後、図１に示す実施形態と同様、ホルダー５０内に発光素子を挿入し、樹脂モールド部２Ａをホルダー５０から突出させる。その後、情報媒体６に設けてある取付穴に、情報媒体６の裏側から樹脂モールド部２Ａ及びホルダー５０のうちフランジ５１Ａより前側を順に挿入し、情報媒体６の裏面にホルダー本体５１のフランジ５１Ａを当接し、係合体５２の螺子山５２Ｂを情報媒体６から突出させる。この状態において、図７（Ｂ）に示すように、情報媒体６の表側から樹脂モールド部２Ａにキャップ２０を被覆しキャップ２０の後端部と係合体５２とを螺合する。もちろん、図１に示す実施形態と同様、ホルダー本体５１のフランジ５１Ａに座金４０を載せることで、情報媒体６の厚みが取付穴毎に異なっていても情報媒体６に発光素子２を取り付けることができる。
【００２０】
〔変形例２〕
図８は本考案の実施形態の変形例２に関する情報表示装置５Ｂを模式的に示す図であり、図９は図８に示す情報表示装置５Ｂにおける照明具を構成する発光素子２と発光素子用ソケット６０の分解図である。変形例２においても、発光素子用ソケット６０は、回路基板３に接続した状態で発光素子２を情報媒体６に取り付ける。
発光素子用ソケット６０はホルダー６１とキャップ６２とを備える。ホルダー６１は、発光素子２の樹脂モールド部２Ａを突出した状態で回路基板３を収容する。キャップ６２は、ホルダー６１から突出している樹脂モールド部２Ａを覆う。キャップ６２は、図４に示すキャップ２０と同様、樹脂モールド部２Ａを被覆する内周面（図示せず）を備えるキャップ本体部６２Ａと、キャップ本体部６２Ａの後端にホルダー６１に嵌め込まれる接続部６２Ｂと、を一体成形されてなる。キャップ本体部６２Ａの外周面には情報媒体６と係合する係合リブ６２Ｃが複数設けられる。キャップ本体部６２Ａの外形は砲弾状であり、係合リブ６２Ｃはキャップ本体部６２Ａの軸方向に沿って直線状に延出されており、係合リブ６２Ｃの後端はキャップ本体部６２Ａの後端に一致するまで延びている。ホルダー６１は、図２に示す場合と同様、中空の基体６１Ａと、基体６１Ａの後端に取り付けられる蓋体６１Ｂと、で構成される。基体６１Ａには、図２に示す実施形態と同様、前端から所定距離離れて外周にフランジ６１Ｃを有している。この変形例２においても、図９に示すように、発光素子２のリードフレーム２Ｂに回路基板３が電気的に接続され、この回路基板３が基体６１Ａに収容された後に、基体６１Ａの後端に蓋体６１Ｂが装着される点は、図１に示す実施形態と同様である。なお、図５ではリードフレームの先端部が筒部３Ａに挿入されているのに対し、図９では半田付け部３Ｃで回路基板３にリードフレーム２Ｂが接続されている。
【００２１】
変形例２は前述と次の点で相違している。
第１に、図９に示すように、基体６１Ａに樹脂モールド部２Ａが突出している状態で基体６１Ａの後端部に蓋体６１Ｂが取り付けられた後に、情報媒体６の裏側から情報媒体６の貫通穴に挿入される前に、基体６１Ａの前側からキャップ６２が取り付けられ、キャップ６２で樹脂モールド部２Ａを覆う点である。
第２に、ホルダー６１にキャップ６２が取り付けられて一組以上の照明具が構成された後に、情報媒体６の取付穴に情報媒体６の裏側からキャップ６２を嵌め込み、ホルダー６１のフランジ６１Ｃが情報媒体６の裏面に当接し、係合リブ６２Ｃの後端とフランジ６１Ｃとで薄板の情報媒体６を挟む点である。換言すれば、キャップ７２の外周に設けた係合リブ６２Ｃの後端とホルダー６１の前端から所定距離離れて設けられているフランジ６１Ｃとで、薄板でなる情報媒体６に係合する。これで、情報媒体６に発光素子が発光素子用ソケット６０により装着される。なお、情報媒体６にキャップ６２を嵌め込んだ後、ホルダー６１を軸回りに例えば約４５度回転させてもよい。
【００２２】
〔変形例３〕
図１０は本考案の実施形態の変形例３に関する情報表示装置５Ｃを模式的に示す図であり、図１１は図１０に示す情報表示装置５Ｃにおける照明具を構成する発光素子２と発光素子用ソケット７０の分解図である。変形例３においても、発光素子用ソケット７０は、回路基板３に接続した状態で発光素子２を情報媒体６に取り付ける。
発光素子用ソケット７０は、発光素子２の樹脂モールド部２Ａを突出した状態で回路基板３が収容されるホルダー７１と、ホルダー７１から突出している樹脂モールド部２Ａを覆うキャップ７２と、を備える。
キャップ７２は、図４に示すキャップ２０と同様、発光素子２の樹脂モールド部２Ａを覆う内周面（図示せず）を有するキャップ本体７２Ａと、キャップ本体７２Ａの後端にホルダー７１に嵌め込まれる接続部７２Ｂと、を一体成形されてなる。キャップ本体７２Ａの接続部７２Ｂとの境目外周にはフランジ７２Ｃを備え、そのフランジ７２Ｃの前側外周面には情報媒体６の取付穴と係合する係合リブ７２Ｄが複数設けられる。キャップ本体７２Ａの外形は砲弾状であり、係合リブ７２Ｄはキャップ本体７２Ａの軸方向に沿って直線状に延出されており、係合リブ７２Ｄの後端はフランジ７２Ｃまで延びている。
ホルダー７１は、図２に示す場合と同様、中空の基体７１Ａと、基体７１Ａの後端に取り付けられる蓋体７１Ｂと、で構成される。基体７１Ａには、図２に示す実施形態と異なり、フランジを設ける必要がない。
この変形例３においても、変形例２と同様、図１１に示すように、発光素子２のリードフレーム２Ｂが回路基板３に半田付け部３Ｃで電気的に接続され、この回路基板３が基体７１Ａに収容された後に、基体７１Ａの後端に蓋体７１Ｂが装着される。
【００２３】
変形例３が変形例１と相違している点は、変形例２の場合と同様、図１１に示すように、基体７１Ａに樹脂モールド部２Ａが突出している状態で基体７１Ａに蓋体７１Ｂが装着された後に、情報媒体６の裏側から情報媒体６の貫通穴に挿入される前に、基体７１Ａの前側からキャップ７２が取り付けられ、キャップ７２で樹脂モールド部２Ａを被覆する点である。
変形例３が変形例２と異なる点は、基体７１Ａにキャップ７２が取り付けられた後に、情報媒体６の取付穴に情報媒体６の裏側からキャップ７２を嵌め込み、キャップ７２のフランジ７２Ｃが情報媒体６の裏面に当接すると共に、係合リブ７２Ｄの長手方向の側面で取付穴の側面と係合することで発光素子用ソケット７０が情報媒体６に保持される点である。換言すれば、キャップ７２の外周に設けたフランジ７２Ｃ及び係合リブ７２Ｄで、情報媒体６に保持される。
【００２４】
〔変形例４〕
本考案の実施形態の変形例４として、例えば、キャップ２０、６２、７２の表面が複数のカット面を有していることで、発光素子２からの光の方向を様々な方向に向くように変換することができる。また、キャップ２０、６２、７２を透過性のプラスチック材に顔料を混ぜて成形することで、単一の発光素子２からの光を変えることができる。キャップ２０、６２、７２は、単にホルダー１０、５０、６１、７１とで情報媒体６に固定するだけでなく、発光素子２の樹脂モールド部２Ａを保護する。
以上のように、本考案は実施に際して各種変更して実施することができ、これらも本実用新案の範囲に含まれる。
【図面の簡単な説明】
【００２５】
【図１】本考案の実施形態に係る発光素子用ソケットの概略図である。
【図２】図１に示す基体を示し、（Ａ）は平面図、（Ｂ）は正面図、（Ｃ）は底面図、（Ｄ）は側面図、（Ｅ）はＡ１−Ａ１線に沿う断面図、（Ｆ）はＡ２−Ａ２線に沿う断面図である。
【図３】図１に示す蓋体を示しており、（Ａ）は平面図、（Ｂ）は正面図、（Ｃ）は底面図、（Ｄ）は側面図、（Ｅ）はＢ１−Ｂ１線に沿う断面図、（Ｆ）はＢ２−Ｂ２線に沿う断面図である。
【図４】図１に示すキャップを示すもので、（Ａ）は平面図、（Ｂ）は正面図、（Ｃ）は底面図、（Ｄ）Ｃ−Ｃ線に沿う断面図である。
【図５】発光素子用ソケットの基体へ発光素子を収容した状態を示す断面図である。
【図６】本考案の実施形態に係る情報表示装置を模式的に示す断面図である。
【図７】本考案の実施形態の変形例１に関し、情報媒体に一組以上の照明具を装着して情報表示装置を組み立てる工程を示している。
【図８】本考案の実施形態の変形例２に関する情報表示装置を模式的に示す図である。
【図９】図８に示す情報表示装置における照明具を構成する発光素子と発光素子用ソケットの分解図である。
【図１０】本考案の実施形態の変形例３に関する情報表示装置を模式的に示す図である。
【図１１】図１０に示す情報表示装置における照明具を構成する発光素子と発光素子用ソケットの分解図である。
【符号の説明】
【００２６】
１，６０，７０：発光素子用ソケット
２：発光素子
２Ａ：樹脂モールド部
２Ｂ：リードフレーム
２Ｃ：鍔部
３：回路基板
３Ａ：筒部
３Ｂ：配線取付部
３Ｃ：半田付け部
４：配線
５，５Ａ，５Ｂ，５Ｃ：情報表示装置
６：情報媒体
７：照明具
１０，５０，６１，７１：ホルダー
１１：基体
１２：キャップ係合部
１２Ａ：張出部
１２Ｂ：螺子山
１３：嵌込部
１３Ａ：筋部
１４，５１Ａ，６１Ｃ，７２Ｃ：フランジ
１５：括れ部
１６：後端部
１６Ａ：コード挿通部
１６Ｂ：係合部
１７：蓋体
１７Ａ：側壁部
１７Ｂ：係合部
１７Ｃ：凹み部
２０，６２，７２：キャップ
２０Ａ：前端部
２０Ｂ，５２Ａ：後端部
２０Ｃ：収容空間
２０Ｄ：溝
４０：座金
５１：ホルダー本体
５１Ｂ：前端部
５２：係合体
５２Ｂ：螺子山
６１Ａ，７１Ａ：基体
６１Ｂ，７１Ｂ：蓋体
６２Ａ，７２Ａ：キャップ本体部
６２Ｂ，７２Ｂ：接続部
６２Ｃ，７２Ｄ：係合リブ
【図１】
0003146027.tif 000003
【図２】
0003146027.tif 000004
【図３】
0003146027.tif 000005
【図４】
0003146027.tif 000006
【図５】
0003146027.tif 000007
【図６】
0003146027.tif 000008
【図７】
0003146027.tif 000009
【図８】
0003146027.tif 000010
【図９】
0003146027.tif 000011
【図１０】
0003146027.tif 000012
【図１１】
0003146027.tif 000013